(57)【要約】【課題】定着装置によって発生する超微粒子を効率よく捕捉することができる画像形成装置を提供する。【解決手段】画像形成装置は、内部空間を規定し、記録媒体が通過可能に構成されたカバー部材と、カバー部材の内部空間に配置され、記録媒体に画像を定着させる定着ローラーを含む定着装置と、内部空間の気体を外部に排出する排出機構３００と、排出機構３００によって排出される気体に含まれる超微粒子を捕捉する捕捉部８１，８２，８３と、を備え、排出機構３００は、定着ローラーの軸方向と交差する方向の一方側において内部空間に連通する第１吸気口６１１を有する第１排気ダクト６１と、軸方向の一方側において内部空間に連通する第２吸気口６２１を有する第２排気ダクト６２と、軸方向の他方側において内部空間に連通する第３吸気口６３１を有する第３排気ダクト６３と、を含む。【選択図】図３
2018112676.tif 000002
【特許請求の範囲】
【請求項１】
内部空間を規定し、記録媒体が通過可能に構成されたカバー部材と、
前記カバー部材の前記内部空間に配置され、記録媒体に画像を定着させる定着ローラーを含む定着装置と、
前記内部空間の気体を外部に排出する排出機構と、
前記排出機構によって排出される前記気体に含まれる超微粒子を捕捉する捕捉部と、を備え、
前記排出機構は、前記定着ローラーの軸方向と交差する方向の一方側において前記内部空間に連通する第１吸気口を有する第１排気ダクトと、前記軸方向の一方側において前記内部空間に連通する第２吸気口を有する第２排気ダクトと、前記軸方向の他方側において前記内部空間に連通する第３吸気口を有する第３排気ダクトと、を含む、画像形成装置。
【請求項２】
前記排出機構は、前記第１排気ダクトに前記内部空間の前記気体を流すための第１排気ファンと、前記第２排気ダクトに前記内部空間の前記気体を流すための第２排気ファンと、前記第３排気ダクトに前記内部空間の前記気体を流すための第３排気ファンと、を含み、
前記第１排気ファン、前記第２排気ファン、および前記第３排気ファンの駆動時において、前記第１排気ダクトを流れる前記気体の流量は、前記第２排気ダクトを流れる前記気体の流量および前記第３排気ダクトを流れる前記気体の流量の合計よりも大きい、請求項１に記載の画像形成装置。
【請求項３】
前記排出機構は、前記第１排気ダクトに前記内部空間の前記気体を流すための第１排気ファンと、前記第２排気ダクトに前記内部空間の前記気体を流すための第２排気ファンと、前記第３排気ダクトに前記内部空間の前記気体を流すための第３排気ファンと、を含み、
前記第１排気ファンの動作、前記第２排気ファンの動作、および前記第３排気ファンの動作を制御する制御部をさらに備え、
前記制御部は、前記第１排気ファンの動作、前記第２排気ファンの動作、および前記第３排気ファンの動作を制御し、前記第１排気ダクトを流れる前記気体の流量、前記第２排気ダクトを流れる前記気体の流量、および前記第３排気ダクトを流れる気体の流量を調整する、請求項１または２に記載の画像形成装置。
【請求項４】
前記内部空間に含まれる超微粒子の量を検知する検知部を備え、
前記制御部は、前記検知部の検知結果に基づき、前記第１排気ファンの動作、前記第２排気ファンの動作、および前記第３排気ファンの動作を制御する、請求項３に記載の画像形成装置。
【請求項５】
前記制御部は、前記検知部の前記検知結果によって、前記超微粒子の量が多いと判断した場合には、前記超微粒子の量が少ないと判断した場合と比較して、前記第２排気ダクトを流れる前記気体の流量および前記第３排気ダクトを流れる前記気体の流量を増加させる、請求項４に記載の画像形成装置。
【請求項６】
記録媒体に画像を定着させる画像形成モード、画像形成が可能な状態で印刷指令を待機するスタンバイモード、電力消費を抑制するスリープモードを少なくとも含む複数の動作モードを有し、
前記制御部は、前記複数の動作モードの各々の動作モード、または前記各々の動作モードから他の動作モードに移行する移行モードに応じて、前記第１排気ファンの動作、前記第２排気ファンの動作、および前記第３排気ファンの動作を制御する、請求項３に記載の画像形成装置。
【請求項７】
前記制御部は、前記画像形成モードにおいて、前記第１排気ダクトを流れる前記気体の流量を、前記第２排気ダクトを流れる前記気体の流量および前記第３排気ダクトを流れる前記気体の流量の合計よりも大きくする、請求項６に記載の画像形成装置。
【請求項８】
前記画像形成モードから前記スタンバイモードに移行する移行モードにおいて、前記制御部は、前記第１排気ファンの回転速度、前記第２排気ファンの回転速度、および前記第３排気ファンの回転速度を減速させる、請求項６または７に記載の画像形成装置。
【請求項９】
前記スタンバイモードにおいて、前記制御部は、前記第１排気ファンの動作、前記第２排気ファンの動作、および前記第３排気ファンの動作を停止させ、または、前記画像形成モードと比較して回転速度が低い状態で、前記第１排気ファン、前記第２排気ファン、および前記第３排気ファンを回転させる、請求項６から８のいずれか１項に記載の画像形成装置。
【請求項１０】
前記スリープモードから電源を入力した状態、または、前記スリープモードからスリープ復帰をした状態において、前記制御部は、前記画像形成モードと比較して回転速度が低い状態で、前記第１排気ファン、前記第２排気ファン、および前記第３排気ファンを回転させる、請求項６から９のいずれか１項に記載の画像形成装置。
【請求項１１】
前記スリープモードから電源を入力した状態、または、前記スリープモードからスリープ復帰をした状態において、前記制御部は、前記画像形成モードと比較して同じ回転速度で前記第１排気ファン、前記第２排気ファン、および前記第３排気ファンを回転させる、請求項６から９のいずれか１項に記載の画像形成装置。
【請求項１２】
前記制御部は、前記第１排気ファン、前記第２排気ファン、および前記第３排気ファンを少なくとも高速モード、低速モード、および停止モードに切り替え可能に制御し、
前記スリープモードから電源を入力した状態、または、前記スリープモードからスリープ復帰をした状態から移行した前記画像形成モードにおいて、前記制御部は、前記第１排気ファン、前記第２排気ファン、および前記第３排気ファンを前記高速モードで回転させる、請求項６から９のいずれか１項に記載の画像形成装置。
【請求項１３】
前記制御部は、記録媒体の大きさ、記録媒体の種類、画像カバレッジを少なくとも含む複数の印刷条件の各々の条件に応じて、前記第１排気ファンの動作、前記第２排気ファンの動作、および前記第３排気ファンの動作を制御する、請求項３に記載の画像形成装置。
【請求項１４】
前記制御部は、前記画像カバレッジが大きい場合には、前記画像カバレッジが低い場合と比較して、前記第２排気ダクトを流れる前記気体の流量および前記第３排気ダクトを流れる前記気体の流量を増加させる、請求項１３に記載の画像形成装置。
【請求項１５】
前記制御部は、記録媒体の幅方向の大きさが小さい場合には、記録媒体の幅方向の大きさが大きい場合と比較して、前記第２排気ダクトを流れる前記気体の流量および前記第３排気ダクトを流れる前記気体の流量を増加させる、請求項１３または１４に記載の画像形成装置。
【請求項１６】
前記定着装置の定着温度を検出する温度検出装置を備え、
前記制御部は、前記温度検出装置の検出結果に基づいて、前記第１排気ファンの動作、前記第２排気ファンの動作、および前記第３排気ファンの動作を制御する、請求項３に記載の画像形成装置。
【請求項１７】
前記制御部は、前記温度検出装置の前記検出結果によって、前記定着温度が高いと判断した場合には、前記定着温度が低いと判断した場合と比較して、前記第２排気ダクトを流れる前記気体の流量および前記第３排気ダクトを流れる前記気体の流量を増加させる、請求項１６に記載の画像形成装置。
【請求項１８】
前記第２排気ダクトは、前記カバー部材から前記軸方向の一方側に沿って延在した後に折り返されて前記軸方向の他方側に向かう形状を有し、
前記第２排気ダクトのうち前記軸方向の他方側に向かう部分は、前記カバー部材に当接するように配設される、請求項１から１７のいずれか１項に記載の画像形成装置。
【請求項１９】
前記第２排気ダクトは、前記第２排気ダクトを通過する前記気体を排出する排出口を有し、前記第２吸気口から前記排出口に至るまで密閉されている、請求項１８に記載の画像形成装置。
【請求項２０】
電源基板が配置された第１領域、画像形成部が配置された第２領域、および前記定着装置を駆動させる駆動部が配置された第３領域を備え、
前記内部空間は、前記第１領域、前記第２領域、および前記第３領域の少なくともいずれかに連通する、請求項１から１９のいずれか１項に記載の画像形成装置。
【発明の詳細な説明】
【技術分野】
【０００１】
本発明は、画像形成装置に関する。
【背景技術】
【０００２】
近年、環境意識の高まりによって、画像形成装置の定着エリアで発生するシロキサン等の超微粒子（ＵＦＰ：Ultra Fine Particle）の排出基準が厳しくなっている。
【０００３】
定着部材（主にシリコンゴム）及びトナーが高温（160℃以上）になると微粒子及び超微粒子（ＵＦＰ）が大量に発生する。定着時に発生したＵＦＰは、何ら手立てがない場合には、記録媒体が搬送される際に搬送の流れで定着エリアから排紙部へと流れて排紙口から機外に排出されたり、上昇気流や機内のエアフローによって開口部から機外に排出されたりする。
【０００４】
これらのＵＦＰの排出を抑制可能な画像形成装置が開示された文献として、たとえば、特開２０１０−１３４１３３号公報（特許文献１）が挙げられる。
【０００５】
特許文献１に開示の画像形成装置は、定着装置の幅方向端部近傍の気体を画像形成装置の外部に排出する気体排出手段と、気体排出手段によって排出される気体からＵＦＰを除去するフィルタとを有する。気体排気手段は、定着装置の幅方向端部近傍の空間領域を包囲し、一部に吸気口を有する包囲部材と、当該包囲部材の内部の気合を排気口から画像形成装置の外部に導くダクトと、ダクトに設けられたファンとを含む。
【先行技術文献】
【特許文献】
【０００６】
【特許文献１】特開２０１０−１３４１３３号公報
【発明の概要】
【発明が解決しようとする課題】
【０００７】
しかしながら、特許文献１に開示の画像形成装置にあっては、包囲部材の一部を構成する遮蔽部材によって、記録媒体が通過する記録媒体通過領域と、定着装置の両端部側であって包囲部材によって包囲される空間とが隔離されている。このため、記録媒体通過領域にＵＦＰが滞留する。記録媒体通過領域に滞留するＵＦＰは、記録媒体の搬送の際の気流等によって排紙部等を通って画像形成装置の外部に排出されることが懸念される。
【０００８】
本発明は、上記のような問題に鑑みてなされたものであり、本発明の目的は、定着装置によって発生する超微粒子を効率よく捕捉することができる画像形成装置を提供することにある。
【課題を解決するための手段】
【０００９】
本発明に基づく画像形成装置は、内部空間を規定し、記録媒体が通過可能に構成されたカバー部材と、上記カバー部材の上記内部空間に配置され、記録媒体に画像を定着させる定着ローラーを含む定着装置と、上記内部空間の気体を外部に排出する排出機構と、上記排出機構によって排出される上記気体に含まれる超微粒子を捕捉する捕捉部と、を備え、上記排出機構は、上記定着ローラーの軸方向と交差する方向の一方側において上記内部空間に連通する第１吸気口を有する第１排気ダクトと、上記軸方向の一方側において上記内部空間に連通する第２吸気口を有する第２排気ダクトと、上記軸方向の他方側において上記内部空間に連通する第３吸気口を有する第３排気ダクトと、を含む。
【００１０】
上記本発明に基づく画像形成装置にあっては、上記排出機構は、上記第１排気ダクトに上記内部空間の上記気体を流すための第１排気ファンと、上記第２排気ダクトに上記内部空間の上記気体を流すための第２排気ファンと、上記第３排気ダクトに上記内部空間の上記気体を流すための第３排気ファンと、を含み、上記第１排気ファン、上記第２排気ファン、および上記第３排気ファンの駆動時において、上記第１排気ダクトを流れる上記気体の流量は、上記第２排気ダクトを流れる上記気体の流量および上記第３排気ダクトを流れる上記気体の流量の合計よりも大きいことが好ましい。
【００１１】
上記本発明に基づく画像形成装置にあっては、上記第１排気ファンの動作、上記第２排気ファンの動作、および上記第３排気ファンの動作を制御する制御部をさらに備えていてもよい。この場合には、上記排出機構は、上記第１排気ダクトに上記内部空間の上記気体を流すための第１排気ファンと、上記第２排気ダクトに上記内部空間の上記気体を流すための第２排気ファンと、上記第３排気ダクトに上記内部空間の上記気体を流すための第３排気ファンと、を含むことが好ましい。さらに、上記制御部は、上記第１排気ファンの動作、上記第２排気ファンの動作、および上記第３排気ファンの動作を制御し、上記第１排気ダクトを流れる上記気体の流量、上記第２排気ダクトを流れる上記気体の流量、および上記第３排気ダクトを流れる気体の流量を調整することが好ましい。
【００１２】
上記本発明に基づく画像形成装置は、上記内部空間に含まれる超微粒子の量を検知する検知部を備えていてもよい。この場合には、上記制御部は、上記検知部の検知結果に基づき、上記第１排気ファンの動作、上記第２排気ファンの動作、および上記第３排気ファンの動作を制御することが好ましい。
【００１３】
上記本発明に基づく画像形成装置にあっては、上記制御部は、上記検知部の上記検知結果によって、上記超微粒子の量が多いと判断した場合には、上記超微粒子の量が少ないと判断した場合と比較して、上記第２排気ダクトを流れる上記気体の流量および上記第３排気ダクトを流れる上記気体の流量を増加させることが好ましい。
【００１４】
上記本発明に基づく画像形成装置にあっては、記録媒体に画像を定着させる画像形成モード、画像形成が可能な状態で印刷指令を待機するスタンバイモード、電力消費を抑制するスリープモードを少なくとも含む複数の動作モードを有し、上記制御部は、上記複数の動作モードの各々の動作モード、または上記各々の動作モードから他の動作モードに移行する移行モードに応じて、上記第１排気ファンの動作、上記第２排気ファンの動作、および上記第３排気ファンの動作を制御することが好ましい。
【００１５】
上記本発明に基づく画像形成装置にあっては、上記制御部は、上記画像形成モードにおいて、上記第１排気ダクトを流れる上記気体の流量を、上記第２排気ダクトを流れる上記気体の流量および上記第３排気ダクトを流れる上記気体の流量の合計よりも大きくすることが好ましい。
【００１６】
上記本発明に基づく画像形成装置にあっては、上記画像形成モードから上記スタンバイモードに移行する移行モードにおいて、上記制御部は、上記第１排気ファンの回転速度、上記第２排気ファンの回転速度、および上記第３排気ファンの回転速度を減速させてもよい。
【００１７】
上記本発明に基づく画像形成装置にあっては、上記スタンバイモードにおいて、上記制御部は、上記第１排気ファンの動作、上記第２排気ファンの動作、および上記第３排気ファンの動作を停止させ、または、上記画像形成モードと比較して回転速度が低い状態で、上記第１排気ファン、上記第２排気ファン、および上記第３排気ファンを回転させてもよい。
【００１８】
上記本発明に基づく画像形成装置にあっては、上記スリープモードから電源を入力した状態、または、上記スリープモードからスリープ復帰をした状態において、上記制御部は、上記画像形成モードと比較して回転速度が低い状態で、上記第１排気ファン、上記第２排気ファン、および上記第３排気ファンを回転させてもよい。
【００１９】
上記本発明に基づく画像形成装置にあっては、上記スリープモードから電源を入力した状態、または、上記スリープモードからスリープ復帰をした状態において、上記制御部は、上記画像形成モードと比較して同じ回転速度で上記第１排気ファン、上記第２排気ファン、および上記第３排気ファンを回転させてもよい。
【００２０】
上記本発明に基づく画像形成装置にあっては、上記制御部は、上記第１排気ファン、上記第２排気ファン、および上記第３排気ファンを少なくとも高速モード、低速モード、および停止モードに切り替え可能に制御してもよい。この場合には、上記制御部は、上記スリープモードから電源を入力した状態、または、上記スリープモードからスリープ復帰をした状態から移行した上記画像形成モードにおいて、上記制御部は、上記第１排気ファン、上記第２排気ファン、および上記第３排気ファンを上記高速モードで回転させてもよい。
【００２１】
上記本発明に基づく画像形成装置にあっては、上記制御部は、記録媒体の大きさ、記録媒体の種類、画像カバレッジを少なくとも含む複数の印刷条件の各々の条件に応じて、上記第１排気ファンの動作、上記第２排気ファンの動作、および上記第３排気ファンの動作を制御することが好ましい。
【００２２】
上記本発明に基づく画像形成装置にあっては、上記制御部は、上記画像カバレッジが大きい場合には、上記画像カバレッジが低い場合と比較して、上記第２排気ダクトを流れる上記気体の流量および上記第３排気ダクトを流れる上記気体の流量を増加させてもよい。
【００２３】
上記本発明に基づく画像形成装置にあっては、上記制御部は、記録媒体の幅方向の大きさが大きい場合には、記録媒体の幅方向の大きさが小さい場合と比較して、上記第２排気ダクトを流れる上記気体の流量および上記第３排気ダクトを流れる上記気体の流量を増加させてもよい。
【００２４】
上記本発明に基づく画像形成装置は、上記定着装置の定着温度を検出する温度検出装置を備えていてもよい。この場合には、上記制御部は、上記温度検出装置の検出結果に基づいて、上記第１排気ファンの動作、上記第２排気ファンの動作、および上記第３排気ファンの動作を制御することが好ましい。
【００２５】
上記本発明に基づく画像形成装置にあっては、上記制御部は、上記温度検出装置の上記検出結果によって、上記定着温度が高いと判断した場合には、上記定着温度が低いと判断した場合と比較して、上記第２排気ダクトを流れる上記気体の流量および上記第３排気ダクトを流れる上記気体の流量を増加させることが好ましい。
【００２６】
上記本発明に基づく画像形成装置にあっては、上記第２排気ダクトは、上記カバー部材から上記軸方向の一方側に沿って延在した後に折り返されて上記軸方向の他方側に向かう形状を有していてもよい。この場合には、上記第２排気ダクトのうち上記軸方向の他方側に向かう部分は、上記カバー部材に当接するように配設されることが好ましい。
【００２７】
上記本発明に基づく画像形成装置にあっては、上記第２排気ダクトは、上記吸気口と、上記第２排気ダクトを通過する上記気体を排出する排気口を有し、上記吸気口から上記排気口に至るまで密閉されていてもよい。
【００２８】
上記本発明に基づく画像形成装置にあっては、電源基板が配置された第１領域、画像形成部が配置された第２領域、および上記定着装置を駆動させる駆動部が配置された第３領域を有していてもよい。この場合には、上記内部空間は、上記第１領域、上記第２領域、および上記第３領域の少なくともいずれかに連通することが好ましい。
【発明の効果】
【００２９】
本発明によれば、定着装置によって発生する超微粒子を効率よく捕捉することができる画像形成装置を提供することができる。
【図面の簡単な説明】
【００３０】
【図１】実施の形態に係る画像形成装置の概略図である。
【図２】実施の形態に係る定着エリアおよび排出機構を示す概略図である。
【図３】実施の形態に係る定着エリアの上方側の構成を示す図である。
【図４】実施の形態に係る定着エリアの縦断面図である。
【図５】実施の形態に係る定着エリアと第２排気ダクトが有する第２吸気口との配置を示す図である。
【図６】実施の形態に係る第２排気ダクトを示す図である。
【図７】実施の形態に係る画像形成装置のエンジン部の構成を示す図である。
【図８】実施の形態に係る第１排気ダクトを流れる空気の流量、第２排気ダクトを流れる空気の流量、および第３排気ダクトを流れる空気の流量の一例を示す図である。
【図９】比較例における画像形成装置が具備する定着エリアの上方側の構成を示す図である。
【図１０】比較例における第１排気ダクトを流れる空気の流量の一例を示す図である。
【図１１】実施の形態に係る画像形成装置の第１排気ファン、第２排気ファンおよび第３排気ファンの第１駆動例を示す図である。
【図１２】実施の形態に係る画像形成装置の第１排気ファン、第２排気ファンおよび第３排気ファンの第２駆動例を示す図である。
【図１３】実施の形態に係る画像形成装置の第１排気ファン、第２排気ファンおよび第３排気ファンの第３駆動例を示す図である。
【図１４】実施の形態に係る画像形成装置の第１排気ファン、第２排気ファンおよび第３排気ファンの第４駆動例を示す図である。
【図１５】実施の形態に係る画像形成装置の第１排気ファン、第２排気ファンおよび第３排気ファンの第５駆動例を示す図である。
【図１６】実施の形態に係る画像形成装置の第１排気ファン、第２排気ファンおよび第３排気ファンの第６駆動例を示す図である。
【図１７】実施の形態に係る画像形成装置の第１排気ファン、第２排気ファンおよび第３排気ファンの第７駆動例を示す図である。
【図１８】実施の形態に係る画像形成装置の第１排気ファン、第２排気ファンおよび第３排気ファンの第８駆動例を示す図である。
【図１９】実施の形態に係る画像形成装置の第１排気ファン、第２排気ファンおよび第３排気ファンの第９駆動例を示す図である。
【図２０】実施の形態に係る画像形成装置の第１排気ファン、第２排気ファンおよび第３排気ファンの第１０駆動例を示す図である。
【図２１】実施の形態に係る画像形成装置の第１排気ファン、第２排気ファンおよび第３排気ファンの第１１駆動例を示す図である。
【図２２】実施の形態に係る画像形成装置の第１排気ファン、第２排気ファンおよび第３排気ファンの第１２駆動例を示す図である。
【図２３】実施の形態に係る画像形成装置の第１排気ファン、第２排気ファンおよび第３排気ファンの第１３駆動例を示す図である。
【図２４】実施の形態に係る画像形成装置の第１排気ファン、第２排気ファンおよび第３排気ファンの第１４駆動例を示す図である。
【図２５】実施の形態に係る画像形成装置の第１排気ファン、第２排気ファンおよび第３排気ファンの第１５駆動例を示す図である。
【発明を実施するための形態】
【００３１】
以下、本発明の実施の形態について、図を参照して詳細に説明する。なお、以下に示す実施の形態においては、同一のまたは共通する部分について図中同一の符号を付し、その説明は繰り返さない。
【００３２】
（画像形成装置）
図１は、実施の形態に係る画像形成装置の概略図である。図１を参照して、画像形成装置１００について説明する。
【００３３】
図１には、カラープリンタとしての画像形成装置１００が示されている。以下では、カラープリンタとしての画像形成装置１００について説明するが、画像形成装置１００は、カラープリンタに限定されない。たとえば、画像形成装置１００は、モノクロプリンタであってもよいし、ファックスであってもよいし、モノクロプリンタ、カラープリンタおよびファックスの複合機（ＭＦＰ：Multi−Functional  Peripheral）であってもよい。
【００３４】
画像形成装置１００は、画像形成ユニット１Ｙ，１Ｍ，１Ｃ，１Ｋと、中間転写ベルト３０と、一次転写ローラー３１と、二次転写ローラー３３と、カセット３７と、従動ローラー３８と、駆動ローラー３９と、タイミングローラー４０と、定着エリア５０と、筐体９０と、制御装置１０１とを備える。
【００３５】
筐体９０は、画像形成装置１００Ｂの外殻を規定する。筐体９０は、内部に、画像形成ユニット１Ｙ，１Ｍ，１Ｃ，１Ｋと、中間転写ベルト３０と、一次転写ローラー３１と、二次転写ローラー３３と、カセット３７と、従動ローラー３８と、駆動ローラー３９と、タイミングローラー４０と、定着エリア５０と、制御装置１０１とを収容する。
【００３６】
画像形成ユニット１Ｙ，１Ｍ，１Ｃ，１Ｋと、中間転写ベルト３０と、一次転写ローラー３１と、二次転写ローラー３３と、カセット３７と、従動ローラー３８と、駆動ローラー３９と、タイミングローラー４０とによって画像形成部が構成される。この画像形成部は、後述する搬送経路４１に沿って搬送される記録媒体としての記録媒体Ｓ上にトナー画像を形成する。
【００３７】
画像形成ユニット１Ｙ，１Ｍ，１Ｃ，１Ｋは、中間転写ベルト３０に沿って順に並べられている。画像形成ユニット１Ｙは、トナーボトル１５Ｙからトナーの供給を受けてイエロー（Ｙ）のトナー像を形成する。画像形成ユニット１Ｍは、トナーボトル１５Ｍからトナーの供給を受けてマゼンタ（Ｍ）のトナー像を形成する。画像形成ユニット１Ｃは、トナーボトル１５Ｃからトナーの供給を受けてシアン（Ｃ）のトナー像を形成する。画像形成ユニット１Ｋは、トナーボトル１５Ｋからトナーの供給を受けてブラック（ＢＫ）のトナー像を形成する。
【００３８】
画像形成ユニット１Ｙ，１Ｍ，１Ｃ，１Ｋは、それぞれ、中間転写ベルト３０に沿って中間転写ベルト３０の回転方向の順に配置されている。画像形成ユニット１Ｙ，１Ｍ，１Ｃ，１Ｋは、それぞれ、感光体１０と、帯電装置１１と、露光装置１２と、現像装置１３と、クリーニング装置１７とを備える。
【００３９】
帯電装置１１は、感光体１０の表面を一様に帯電する。露光装置１２は、制御装置１０１からの制御信号に応じて感光体１０にレーザー光を照射し、入力された画像パターンに従って感光体１０の表面を露光する。これにより、入力画像に応じた静電潜像が感光体１０上に形成される。
【００４０】
現像装置１３は、現像ローラー１４を回転させながら、現像ローラー１４に現像バイアスを印加し、現像ローラー１４の表面にトナーを付着させる。これにより、トナーが現像ローラー１４から感光体１０に転写され、静電潜像に応じたトナー像が感光体１０の表面に現像される。
【００４１】
感光体１０と中間転写ベルト３０とは、一次転写ローラー３１を設けている部分で互いに接触している。一次転写ローラー３１は、ローラー形状を有し、回転可能に構成される。トナー像と反対極性の転写電圧が一次転写ローラー３１に印加されることによって、トナー像が感光体１０から中間転写ベルト３０に転写される。イエロー（Ｙ）のトナー像、マゼンタ（Ｍ）のトナー像、シアン（Ｃ）のトナー像、およびブラック（ＢＫ）のトナー像が順に重ねられて感光体１０から中間転写ベルト３０に転写される。これにより、カラーのトナー像が中間転写ベルト３０上に形成される。
【００４２】
中間転写ベルト３０は、従動ローラー３８および駆動ローラー３９に張架されている。駆動ローラー３９は、たとえばモーター（図示しない）によって回転駆動される。中間転写ベルト３０および従動ローラー３８は、駆動ローラー３９に連動して回転する。これにより、中間転写ベルト３０上のトナー像が二次転写ローラー３３に搬送される。
【００４３】
クリーニング装置１７は、感光体１０に圧接されている。クリーニング装置１７は、トナー像の転写後に感光体１０の表面に残留するトナーを回収する。
【００４４】
カセット３７には、記録媒体Ｓがセットされる。記録媒体Ｓは、カセット３７から１枚ずつタイミングローラー４０によって搬送経路４１に沿って二次転写ローラー３３に送られる。二次転写ローラー３３は、ローラー形状を有し、回転可能に構成される。二次転写ローラー３３は、トナー像と反対極性の転写電圧を搬送中の記録媒体Ｓに印加する。これにより、トナー像は、中間転写ベルト３０から二次転写ローラー３３に引き付けられ、中間転写ベルト３０上のトナー像が転写される。二次転写ローラー３３への記録媒体Ｓの搬送タイミングは、中間転写ベルト３０上のトナー像の位置に合わせてタイミングローラー４０によって調整される。タイミングローラー４０により、中間転写ベルト３０上のトナー像は、記録媒体Ｓの適切な位置に転写される。
【００４５】
定着エリア５０は、カバー部材５１と、定着装置５２とを含む。カバー部材５１は、内部空間を規定し、記録媒体Ｓが通過可能に構成されている。定着装置５２は、加圧ローラー５３および加熱ローラー５４等の定着ローラーを含む。定着装置５２は、定着装置駆動部５５によって駆動される。
【００４６】
定着装置５２は、自身を通過する記録媒体Ｓを加圧および加熱する。これにより、トナー像は記録媒体Ｓに定着する。定着装置５２は、搬送経路４１に沿って搬送される記録媒体Ｓ上のトナー画像を定着させる。トナー像が定着された記録媒体Ｓは、トレイ４８に排紙される。
【００４７】
画像形成装置１００は、電源基板が配置された第１領域Ｓ１、画像形成部が配置された第２領域Ｓ２、および定着装置５２を駆動させる定着装置駆動部５５が配置された第３領域Ｓ３を備える。カバー部材５１によって規定される内部空間は、第１領域Ｓ１、第２領域Ｓ２、および第３領域Ｓ３の少なくともいずれかに連通する。
【００４８】
画像形成装置の駆動時等においては、電源基板、画像形成部、および定着装置駆動部５５は、第１領域Ｓ１、第２領域Ｓ２および第３領域Ｓ３のそれぞれで発熱する。このため、カバー部材５１によって規定される内部空間は、第１領域Ｓ１、第２領域Ｓ２、および第３領域Ｓ３の少なくともいずれかに連通することにより、後述するように当該内部空間内の気体を排気した場合に、暖かい空気が内部空間に流入することとなる。この結果、定着エリア５０が冷却されることを抑制することができる。
【００４９】
なお、上述では、印刷方式としてタンデム方式を採用している画像形成装置１００について説明したが、画像形成装置１００の印刷方式は、タンデム方式に限定されない。画像形成装置１００内における各構成の配置は、採用される印刷方式に従って適宜変更され得る。画像形成装置１００の印刷方式として、ロータリー方式や直接転写方式が採用されてもよい。ロータリー方式の場合、画像形成装置１００は、１つの感光体１０と、同軸上で回転可能に構成される複数の現像装置１３で構成される。画像形成装置１００は、印刷時には、各現像装置１３を感光体１０に順に導き、各色のトナー像を現像する。直接転写方式の場合、画像形成装置１００は、感光体１０上に形成されたトナー像が記録媒体Ｓに直接転写される。
【００５０】
（排出機構）
図２は、実施の形態に係る定着エリアおよび排出機構を示す概略図である。図３は、実施の形態に係る定着エリアの上方側の構成を示す図である。図４は、実施の形態に係る定着エリアの縦断面図である。図２から図４を参照して、排出機構３００について説明する。
【００５１】
画像形成装置１００は、排出機構３００をさらに備える。排出機構３００は、定着エリアの内部空間の気体を画像形成装置１００の外部に排出する。図２に示すように、排出機構３００は、第１排気ダクト６１、第２排気ダクト６２、第３排気ダクト６３を含む。
【００５２】
排出機構３００は、第１排気ファン７１、第２排気ファン７２Ａ，７２Ｂ、および第３排気ファン７３を含む。第１排気ファン７１、第２排気ファン７２Ａ，７２Ｂ、および第３排気ファン７３の動作は、後述の制御部２０２によって制御される。
【００５３】
制御部２０２は、第１排気ファン７１の動作、第２排気ファン７２Ａ，７２Ｂの動作、および第３排気ファン７３の動作を制御し、第１排気ダクト６１を流れる気体の流量、第２排気ダクト６２を流れる気体の流量、および第３排気ダクト６３を流れる気体の流量を調整する。
【００５４】
なお、第１排気ファン７１、第２排気ファン７２Ａ，７２Ｂおよび第３排気ファン７３の動作の詳細については、図１１から図２５を用いて後述する。
【００５５】
第１排気ダクト６１は、第１吸気口６１１および第１排気口６１２を有する。第１吸気口６１１は、定着ローラーの軸方向と交差する方向の一方向において定着エリアの内部空間に連通する。
【００５６】
図３および図４に示すように、第１排気ダクト６１は、定着エリアの上方側に配索されている。第１吸気口６１１は、定着エリアの上部側に設けられている。
【００５７】
図２から図４に示すように、第１排気ファン７１は、内部空間の空気を第１排気ダクト６１内に流動させるためのものである。第１排気ファン７１によって第１吸気口６１１から吸い込まれた内部空間の空気は、第１排気ダクト６１を通って第１排気口６１２から外部に排出される。
【００５８】
第１排気ダクト６１内には、上記気体に含まれる超微粒子を捕捉するための第１フィルター８１が配置されている。第１フィルター８１を通過することによって浄化された気体が、第１排気口６１２から排出される。
【００５９】
図２に示すように、第２排気ダクト６２は、第２吸気口６２１および第２排気口６２２を有する。第２吸気口６２１は、定着ローラーの軸方向の一方側において定着エリアの内部空間に連通する。
【００６０】
図５は、実施の形態に係る定着エリアと第２排気ダクトが有する第２吸気口との配置を示す図である。なお、図５においては、便宜上のため定着装置５２を四角で簡略化して示している。
【００６１】
図５に示すように、定着ローラーの軸方向に沿って見た場合に、第２吸気口６２１は、少なくとも定着装置５２に面するように設けられている。より具体的には、第２吸気口６２１は、定着ローラーの軸方向に沿って見た場合に、定着装置５２の全体に面するように設けられている。
【００６２】
第２排気ファン７２は、内部空間の空気を第２排気ダクト６２内に流動させるためのものである。第２排気ファン７２によって第２吸気口６２１から吸い込まれた内部空間の空気は、第２排気ダクト６２を通って第２排気口６２２から外部に排出される。
【００６３】
第２排気ダクト６２内には、上記気体に含まれる超微粒子を捕捉するための第２フィルター８２が配置されている。第２フィルター８２を通過することによって浄化された気体が、第２排気口６２２から排出される。
【００６４】
図６は、実施の形態に係る第２排気ダクトを示す図である。図６に示すように、第２排気ダクト６２は、カバー部材５１から定着ローラーの軸方向の一方側に沿って延在した後に折り返されて上記軸方向の他方側に向かう形状を有する。
【００６５】
第２排気ダクト６２のうち上記軸方向の他方側に向かう部分は、カバー部材５１に当接するように配索される。これにより、定着エリアの周囲の空気が、カバー部材５１と第２排気ダクト６２とが当接する部分に接触することを抑制し、定着エリアが冷却されることを抑制することができる。さらに、第２排気ダクト６２に、定着エリア内の暖気が流れることにより、第２排気ダクト６２が断熱層として機能する。このことによっても定着エリアが冷却されることを抑制することができる。
【００６６】
さらに、第２排気ダクト６２は、第２吸気口６２１から第２排気口６２２に至るまで密閉されていることが好ましい。これにより、上記の断熱層としての機能がより効果的には発揮されることとなる。この結果、定着エリアが冷却されることをさらに抑制することができる。
【００６７】
再び図２に示すように、第３排気ダクト６３は、第３吸気口６３１および第３排気口６３２を有する。第３吸気口６３１は、定着ローラーの軸方向の他方側において定着エリアの内部空間に連通する。第３吸気口６３１は、第２吸気口６２１とほぼ同様に構成されている。
【００６８】
第３排気ファン７３は、内部空間の空気を第３排気ダクト６３内に流動させるためのものである。第３排気ファン７３によって第３吸気口６３１から吸い込まれた内部空間の空気は、第３排気ダクト６３を通って第３排気口６３２から外部に排出される。
【００６９】
第３排気ダクト６３内には、上記気体に含まれる超微粒子を捕捉するための第３フィルター８３が配置されている。第３フィルター８３を通過することによって浄化された気体が、第３排気口６３２から排出される。
【００７０】
上記第１フィルター８１、第２フィルター８２、および第３フィルター８３は、排出機構３００によって排出される上記気体に含まれる超微粒子を捕捉する捕捉部に相当する。
【００７１】
（エンジン部の構成）
図７は、実施の形態に係る画像形成装置のエンジン部の構成を示す図である。図７を参照して、画像形成装置１００のエンジン部２０１の構成について説明する。
【００７２】
図７に示すように、実施の形態に係る画像形成装置１００は、エンジン部２０１をさらに備える。エンジン部２０１は、当該画像形成装置１００全体を制御するための制御部２０２を含む。制御部２０２は、プリントヘッド２０３を制御する。
【００７３】
制御部２０２には、ＥＥＰＲＯＭ（Electronically Erasable and Programmable Read Only Memory）などである、エンジン部２０１に付属している本体付属不揮発性メモリ２０５が接続されている。本体付属不揮発性メモリ２０５には、制御部２０２にて計測されたデータなどと共に、制御部２０２で実行されるプログラムなどが記憶されている。
【００７４】
また、制御部２０２は、図示しない操作パネル等から入力される指示信号に基づいて本体付属不揮発性メモリ２０５からプログラムを読出して実行し、上記各部や、記録媒体搬送のためのモータ、および定着装置５２のモータ等に相当する各種負荷２０４を制御する。制御部２０２は、後述するように、第１排気ファン７１、第２排気ファン７２Ａ，７２Ｂおよび第３排気ファン７３の動作を制御する。
【００７５】
制御部２０２には、消耗品に取り付けられたユニット付属不揮発性メモリ（ＣＳＩＣ）２０６に接続されている。ＣＰＵは、ユニット付属不揮発性メモリ２０６に対して消耗品の情報などを記憶させることができる。
【００７６】
また、エンジン部２０１とコントローラ部２０７とは接続されており、画像データなどの必要な情報の授受を行なうことができる。
【００７７】
上述の操作パネル等では、記録媒体の大きさ、記録媒体の向き、および画像カバレッジ等の各種情報を設定できるようになっている。設定された各種情報は、制御部２０２に入力され、これら情報に基づいて、制御部２０２は、第１排気ファン７１、第２排気ファン７２Ａ，７２Ｂおよび第３排気ファン７３の動作を制御する。
【００７８】
すなわち、制御部２０２は、記録媒体の大きさ、記録媒体の種類、画像カバレッジを少なくとも含む複数の印刷条件の各々の条件に応じて、第１排気ファン７１の動作、第２排気ファン７２Ａ，７２Ｂの動作、および第３排気ファン７３の動作を制御する。
【００７９】
たとえば、制御部２０２は、画像カバレッジが大きい場合には、画像カバレッジが低い場合と比較して、第２排気ダクト６２を流れる気体の流量および第３排気ダクト６３を流れる気体の流量を増加させる。
【００８０】
また、制御部２０２は、記録媒体の大きさが小さい場合には、記録媒体の大きさが小さい場合と比較して、第２排気ダクト６２を流れる気体の流量および第３排気ダクト６３を流れる気体の流量を増加させる。
【００８１】
画像形成装置１００は、定着エリアの内部空間に含まれる超微粒子の量を検知する検知部２０８、および定着装置の温度を検出する温度検出装置２０９を備える。
【００８２】
制御部２０２は、検知部２０８の検知結果に基づいて、第１排気ファン７１、第２排気ファン７２Ａ，７２Ｂおよび第３排気ファン７３の動作を制御する。
【００８３】
たとえば、制御部２０２は、検知部２０８の検知結果によって、超微粒子の量が多いと判断した場合には、超微粒子の量が少ないと判断した場合と比較して、第２排気ダクト６２を流れる気体の流量および第３排気ダクト６３を流れる気体の流量を増加させる。
【００８４】
記録媒体に画像を定着させる際に定着装置５２によって超微粒子が大量に発生する場合には、定着ローラーの軸方向における両端側に超微粒子が滞留する傾向がある。このため、上述のように超微粒子の量が多い場合に、第２排気ダクト６２を流れる気体の流量および第３排気ダクト６３を流れる気体の流量を増加させることにより、定着ローラーの軸方向における両端側に滞留する超微粒子を効果的に、第２排気ダクト６２および第３排気ダクト６３に導入することができる。
【００８５】
制御部２０２は、温度検出装置２０９の検出結果に基づいて、第１排気ファン７１、第２排気ファン７２Ａ，７２Ｂおよび第３排気ファン７３の動作を制御する。
【００８６】
たとえば、制御部２０２は、温度検出装置２０９の検出結果によって、定着温度が高いと判断した場合には、定着温度が低いと判断した場合と比較して、第２排気ダクト６２を流れる気体の流量および第３排気ダクト６３を流れる気体の流量を増加させる。
【００８７】
定着温度が高い場合には、超微粒子が大量に発生する。大量に発生した超微粒子は、定着ローラーの軸方向における両端側に超微粒子が滞留する傾向がある。このため、第２排気ダクト６２を流れる気体の流量および第３排気ダクト６３を流れる気体の流量を増加させることにより、定着ローラーの軸方向における両端側に滞留する超微粒子を効果的に、第２排気ダクト６２および第３排気ダクト６３に導入することができる。
【００８８】
図８は、実施の形態に係る第１排気ダクトを流れる空気の流量、第２排気ダクトを流れる空気の流量、および第３排気ダクトを流れる空気の流量の一例を示す図である。図８を参照して、第１排気ダクト６１を流れる空気の流量、第２排気ダクト６２を流れる空気の流量、および第３排気ダクト６３を流れる空気の流量の一例について説明する。
【００８９】
図８に示すように、第１排気ファン７１、第２排気ファン７２、および第３排気ファン７３の駆動時において、第１排気ダクト６１を流れる気体の流量は、第２排気ダクト６２を流れる気体の流量および第３排気ダクト６３を流れる気体の流量の合計よりも大きくなっている。
【００９０】
具体的には、第１排気ダクト６１を流れる気体の流量は、０．３ｍ３／ｍｉｎであり、第２排気ダクト６２を流れる気体の流量は、０．０８ｍ３／ｍｉｎであり、０．０６ｍ３／ｍｉｎである。
【００９１】
以上のように、本実施の形態に係る画像形成装置１００にあっては、排出機構３００が、定着ローラーの軸方向と交差する方向の一方側において内部空間に連通する第１吸気口６１１を有する第１排気ダクト６１と、軸方向の一方側において内部空間に連通する第２吸気口６２１を有する第２排気ダクト６２と、軸方向の他方側において内部空間に連通する第３吸気口６３１を有する第３排気ダクト６３と、を含む。
【００９２】
記録媒体に画像を定着させる際に定着装置５２によって超微粒子が大量に発生する場合には、定着ローラーの軸方向における両端側に超微粒子が滞留する傾向がある。第２排気ダクト６２および第３排気ダクト６３を設けることにより、定着ローラーの両端側に滞留した高濃度の超微粒子を第２排気ダクト６２および第３排気ダクト６３から排気することができる。
【００９３】
ここで、第２排気ダクト６２の第２吸気口６２１および第３排気ダクト６３の第３吸気口６３１は、定着ローラーの軸方向における両端側に位置するため、高濃度の超微粒子を含む気体を直接、第２排気ダクト６２および第３排気ダクト６３に導くことができる。このため、上述のような小さい流量で、高濃度の超微粒子を含む気体を排気できることとなる。
【００９４】
このように、小さい流量で定着ローラーの両端側の気体を排気しつつ、第１排気ダクト６１からも上記内部空間の空気を排気することにより、全体として、定着装置によって発生する超微粒子を効率よく捕捉することができる。
【００９５】
また、全体として小さい流量で上記内部空間内の気体を画像形成装置１００の外部に排気することができるため、画像形成装置１００内の他領域から上記内部空間に流入する空気の量を低減することができる。これにより、定着エリア５０が冷却されることも抑制できる。
【００９６】
以上のように、本実施の形態に係る画像形成装置１００にあっては、定着装置によって発生する超微粒子を効率よく捕捉することができる。
【００９７】
（比較例）
図９は、比較例における画像形成装置が具備する定着エリアの上方側の構成を示す図である。図９を参照して、比較例における画像形成装置について説明する。
【００９８】
図９に示すように、比較例における画像形成装置１００Ｘは、実施の形態に係る画像形成装置１００と比較した場合に、排出機構３００Ｘの構成が相違する。
【００９９】
排出機構３００Ｘは、実施の形態に係る排出機構３００と比較して、第２排気ダクト、第２排気ファン、第３排気ダクトおよび第３排気ファンを含んでおらず、第１排気ダクト６１、と２つの第１排気ファン７１Ａ，７１Ｂとを含む。排出機構３００Ｘが２つの第１排気ファン７１Ａ，７１Ｂを含むことにより、第１排気ダクト６１を流れる気体の流量は、実施の形態と比較して、多くなっている。
【０１００】
図１０は、比較例における第１排気ダクトを流れる空気の流量の一例を示す図である。図１０を参照して、比較例における第１排気ダクト６１を流れる空気の流量の一例について説明する。
【０１０１】
図１０に示すように、比較例においては、第１排気ダクト６１のみによって内部空間の空気が外部に排気される。第１排気ダクト６１を流れる空気の流量は、０．４ｍ３／ｍｉｎ〜０．６ｍ３／ｍｉｎ程度である。第１排気ダクト６１を流れる空気の流量は、実施の形態において第１排気ダクト６１を流れる空気の流量よりも大きくなっている。第１排気ダクト６１を流れる気体の流量を大きくするために、上述のように２つの第１排気ファン７１Ａ，７１Ｂが設けられている。
【０１０２】
記録媒体に画像を定着させる際に定着装置５２によって超微粒子が大量に発生する場合には、定着ローラーの軸方向における両端側に超微粒子が滞留する傾向がある。超微粒子が滞留する箇所と、第１排気ダクト６１の第１吸気口６１１の位置とは離間している。このため、滞留した高濃度の超微粒子を含む気体を第１排気ダクト６１のみによって外部に排気する場合には、第１排気ダクト６１を流れる気体の流量を大きくしなければならない。
【０１０３】
これにより、定着装置によって発生する超微粒子を効率よく捕捉することができなくなる。さらに、大きい流量で上記内部空間の気体を画像形成装置１００の外部に排気するため、画像形成装置１００内の他領域から内部空間内に流入する空気の量が多くなる。これにより、定着エリア５０が冷却されてしまう。
【０１０４】
（第１排気ファン、第２排気ファン、および第３排気ファンの動作）
画像形成装置１００は、記録媒体に画像を定着させる画像形成モード、画像形成が可能な状態で印刷指令を待機するスタンバイモード、電力消費を抑制するスリープモードを少なくとも含む複数の動作モードを有する。
【０１０５】
制御部は、複数の動作モードの各々の動作モード、または上記各々の動作モードから他の動作モードに移行する移行モードに応じて、第１排気ファン７１の動作、第２排気ファン７２Ａ，７２Ｂの動作、および第３排気ファン７３の動作を制御する。
【０１０６】
また、制御部は、記録媒体の大きさ、記録媒体の種類、画像カバレッジを少なくとも含む複数の印刷条件の各々の条件に応じて、第１排気ファン７１の動作、第２排気ファン７２Ａ，７２Ｂの動作、および第３排気ファン７３の動作を制御する。
【０１０７】
以下に、第１排気ファン７１、第２排気ファン７２Ａ，７２Ｂ、および第３排気ファン７３の動作の第１駆動例から第１５駆動例を示す。なお、以下においては、制御部が、第１排気ファン７１、第２排気ファン７２Ａ，７２Ｂ、および第３排気ファン７３を少なくとも高速モード、低速モード、および停止モードに切り替え可能に制御する場合、具体的には、第１排気ファン７１、第２排気ファン７２Ａ，７２Ｂ、および第３排気ファン７３を高速、中速、または低速で回転させたり、停止させたりする場合を例示して説明する。
【０１０８】
第１排気ファン７１を高速で回転させる場合には、０．３ｍ３／ｍｉｎ〜０．６ｍ３／ｍｉｎ程度の流量で気体が第１排気ダクト６１に流れる。第１排気ファン７１を中速で回転させる場合には、０．２ｍ３／ｍｉｎ〜０．３ｍ３／ｍｉｎ程度の流量で気体が第１排気ダクト６１に流れる。第１排気ファン７１を低速で回転させる場合には、０．１ｍ３／ｍｉｎ〜０．２ｍ３／ｍｉｎ程度の流量で気体が第１排気ダクト６１に流れる。
【０１０９】
第２排気ファン７２Ａ，７２Ｂを高速で回転させる場合には、０．１ｍ３／ｍｉｎ〜０．３ｍ３／ｍｉｎ程度の流量で気体が第２排気ダクト６２に流れる。第２排気ファン７２Ａ，７２Ｂを中速で回転させる場合には、０．０５ｍ３／ｍｉｎ〜０．１５ｍ３／ｍｉｎ程度の流量で気体が第２排気ダクト６２に流れる。第２排気ファン７２Ａ，７２Ｂを低速で回転させる場合には、０．０２ｍ３／ｍｉｎ〜０．０５ｍ３／ｍｉｎ程度の流量で気体が第２排気ダクト６２に流れる。
【０１１０】
第３排気ファン７３を高速で回転させる場合には、０．１ｍ３／ｍｉｎ〜０．３ｍ３／ｍｉｎ程度の流量で気体が第３排気ダクト６３に流れる。第３排気ファン７３を中速で回転させる場合には、０．０５ｍ３／ｍｉｎ〜０．１５ｍ３／ｍｉｎ程度の流量で気体が第３排気ダクト６３に流れる。第３排気ファン７３を低速で回転させる場合には、０．０２ｍ３／ｍｉｎ〜０．０５ｍ３／ｍｉｎ程度の流量で気体が第３排気ダクト６３に流れる。
【０１１１】
（第１駆動例）
図１１は、実施の形態に係る画像形成装置の第１排気ファン、第２排気ファンおよび第３排気ファンの第１駆動例を示す図である。図１１を参照して、第１排気ファン７１、第２排気ファン７２Ａ，７２Ｂ、および第３排気ファン７３の第１駆動例について説明する。
【０１１２】
第１駆動例においては、時刻ｔ０において、画像形成モードとなっている。当該画像形成モードは、時刻ｔ１まで維持される。時刻ｔ１で画像形成モードが終了し、時刻ｔ２まで、画像形成モードからスタンバイモードに移行する移行モードとなる。時刻ｔ３からは、スタンバイモードとなる。
【０１１３】
画像形成モードにおいては、制御部は、第１排気ファン７１を高速で回転させ、第２排気ファン７２Ａ，７２Ｂおよび第３排気ファン７３を第１排気ファン７１よりも速度の低い中速で回転させる。この際、制御部は、第１排気ダクト６１を流れる気体の流量を、第２排気ダクト６２を流れる気体の流量および第３排気ダクト６３を流れる気体の流量の合計よりも大きくする。
【０１１４】
これにより、主として第１排気ダクト６１を用いて気体を排気しつつ、補助的に、第２排気ダクト６２および第３排気ダクト６３を用いて気体を排気することができる。この結果、全体として、超微粒子を効率よく捕捉することができる。
【０１１５】
画像形成モードからスタンバイモードに移行する移行モードにおいては、制御部は、第１排気ファン７１を、画像形成モードよりも速度が低い低速で回転させ、第２排気ファン７２Ａ，７２Ｂおよび第３排気ファン７３を第１排気ファン７１同様に低速で回転させる。
【０１１６】
画像形成終了後においても、定着装置の温度が高温を維持しているため、超微粒子が発生する。このため、第１排気ファン７１、第２排気ファン７２Ａ，７２Ｂおよび第３排気ファン７３を動作させることで超微粒子を第１排気ダクト６１、第２排気ダクト６２、および第３排気ダクト６３に導入することができる。なお、画像形成モードよりも低速で回転させることにより、騒音を小さくすることできる。
【０１１７】
スタンバイモードにおいては、制御部は、第１排気ファン７１を低速で回転させ、第２排気ファン７２Ａ，７２Ｂを停止させる。
【０１１８】
スタンバイモードにおいては、一般的に、画像形成モードよりも低い温度で、定着装置５２の温度を維持している。設定温度の如何によっては、超微粒子が発生する場合がある。この場合において、超微粒子の発生量は、画像形成モードにおける超微粒子の発生量よりも少ない。このため、第１排気ファン７１のみを低速で回転させることにより、超微粒子を十分に捕捉することができる。また、第１排気ファン７１のみを回転させることにより、騒音をより小さくすることができる。
【０１１９】
なお、スタンバイモードにおいては、第２排気ファン７２Ａ，７２Ｂを、必ずしも停止させる必要はなく、画像形成モードと比較して回転速度が低い状態で回転させていてもよい。また、第１排気ファン７１、第２排気ファン７２Ａ，７２Ｂおよび第３排気ファン７３のいずれも停止させてもよい。第１排気ファン７１、第２排気ファン７２Ａ，７２Ｂおよび第３排気ファン７３のいずれも停止させた場合には、騒音をさらに小さくすることができる。
【０１２０】
（第２駆動例）
図１２は、実施の形態に係る画像形成装置の第１排気ファン、第２排気ファンおよび第３排気ファンの第２駆動例を示す図である。図１２を参照して、第１排気ファン７１、第２排気ファン７２Ａ，７２Ｂ、および第３排気ファン７３の第２駆動例について説明する。
【０１２１】
第２駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードからスタンバイモードに移行する移行モードとなる。時刻ｔ２からは時刻ｔ３まではスタンバイモードとなる。時刻ｔ３からは、画像形成モードとなる。
【０１２２】
スリープモードにおいて、制御部は、第１排気ファン７１、第２排気ファン７２Ａ，７２Ｂおよび第３排気ファン７３を停止させる。
【０１２３】
電源ＯＮ状態またはスリープ復帰状態となり、スリープモードからスタンバイモードに移行する移行モードにおいては、制御部は、第１排気ファン７１、第２排気ファン７２Ａ，７２Ｂ、および第３排気ファン７３を低速で回転させる。
【０１２４】
すなわち、スリープモードから電源を入力した状態、または、スリープモードからスリープ復帰をした状態において、制御部は、画像形成モードと比較して回転速度が低い状態で、第１排気ファン７１、第２排気ファン７２Ａ，７２Ｂ、および第３排気ファン７３を回転させる。
【０１２５】
電源ＯＮ状態またはスリープ復帰状態においては、定着装置において、ヒータがオフの状態から高温状態にするため、超微粒子が大量発生する。画像形成モードと比較して回転速度が低い状態ではあるが、第１排気ファン７１、第２排気ファン７２Ａ，７２Ｂ、および第３排気ファン７３を回転させることにより、発生する超微粒子を捕捉することができる。画像形成モードよりも低速で第１排気ファン７１、第２排気ファン７２Ａ，７２Ｂ、および第３排気ファン７３を回転させることにより、騒音を小さくすることできる。
【０１２６】
スタンバイモードにおいては、制御部は、第１排気ファン７１を低速で回転させ、第２排気ファン７２Ａ，７２Ｂ、および第３排気ファン７３を停止させる。
【０１２７】
画像形成モードにおいては、制御部は、第１排気ファン７１を高速で回転させ、第２排気ファン７２Ａ，７２Ｂおよび第３排気ファン７３を中速で回転させる。この際、制御部は、第１排気ダクト６１を流れる気体の流量を、第２排気ダクト６２を流れる気体の流量および第３排気ダクト６３を流れる気体の流量の合計よりも大きくする。
【０１２８】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０１２９】
（第３駆動例）
図１３は、実施の形態に係る画像形成装置の第１排気ファン、第２排気ファンおよび第３排気ファンの第３駆動例を示す図である。図１３を参照して、第１排気ファン７１、第２排気ファン７２Ａ，７２Ｂ、および第３排気ファン７３の第３駆動例について説明する。
【０１３０】
第３駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードから画像形成モードに移行する移行モードとなる。時刻ｔ２からは、画像形成モードとなる。
【０１３１】
スリープモードにおいては、制御部は、第１排気ファン７１、第２排気ファン７２Ａ，７２Ｂおよび第３排気ファン７３を停止させる。
【０１３２】
電源ＯＮ状態またはスリープ復帰状態となり、スリープ状態から画像形成モードに移行する移行モードにおいては、制御部は、第１排気ファン７１、第２排気ファン７２Ａ，７２Ｂ、および第３排気ファン７３を低速で回転させる。
【０１３３】
画像形成モードにおいては、制御部は、第１排気ファン７１を高速で回転させ、第２排気ファン７２Ａ，７２Ｂおよび第３排気ファン７３を中速で回転させる。この際、制御部は、第１排気ダクト６１を流れる気体の流量を、第２排気ダクト６２を流れる気体の流量および第３排気ダクト６３を流れる気体の流量の合計よりも大きくする。
【０１３４】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０１３５】
（第４駆動例）
図１４は、実施の形態に係る画像形成装置の第１排気ファン、第２排気ファンおよび第３排気ファンの第４駆動例を示す図である。図１４を参照して、第１排気ファン７１、第２排気ファン７２Ａ，７２Ｂ、および第３排気ファン７３の第４駆動例について説明する。
【０１３６】
第４駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードからスタンバイモードに移行する移行モードとなる。時刻ｔ２からは時刻ｔ３までは、スタンバイモードとなる。時刻ｔ３からは、画像形成モードとなる。
【０１３７】
スリープモードにおいては、制御部は、第１排気ファン７１、第２排気ファン７２Ａ，７２Ｂおよび第３排気ファン７３を停止させる。
【０１３８】
電源ＯＮ状態またはスリープ復帰状態となり、スリープ状態からスタンバイ状態に移行する移行モードにおいては、制御部は、第１排気ファン７１を高速で回転させ、第２排気ファン７２Ａ，７２Ｂ、および第３排気ファン７３を中速で回転させる。なお、当該状態における第１排気ファン７１、第２排気ファン７２Ａ，７２Ｂおよび第３排気ファン７３の速度は、画像形成モードにおける第１排気ファン７１、第２排気ファン７２Ａ，７２Ｂおよび第３排気ファン７３の速度と同じである。
【０１３９】
すなわち、スリープモードから電源を入力した状態、または、スリープモードからスリープ復帰をした状態において、制御部は、画像形成モードと比較して同じ回転速度で第１排気ファン７１、第２排気ファン７２Ａ，７２Ｂ、および第３排気ファン７３を回転させる。
【０１４０】
電源ＯＮ状態またはスリープ復帰状態においては、定着装置において、ヒータがオフの状態から高温状態にするため、超微粒子が大量発生する。いわゆるイニシャルバーストにより、超微粒子が大量に発生する。画像形成モードと同じ回転速度で、第１排気ファン７１、第２排気ファン７２Ａ，７２Ｂ、および第３排気ファン７３を回転させることにより、発生する超微粒子を効果的に捕捉することができる。
【０１４１】
スタンバイモードにおいては、制御部は、第１排気ファン７１を低速で回転させ、第２排気ファン７２Ａ，７２Ｂを停止させる。
【０１４２】
画像形成モードにおいては、制御部は、第１排気ファン７１を高速で回転させ、第２排気ファン７２Ａ，７２Ｂおよび第３排気ファン７３を中速で回転させる。この際、制御部は、第１排気ダクト６１を流れる気体の流量を、第２排気ダクト６２を流れる気体の流量および第３排気ダクト６３を流れる気体の流量の合計よりも大きくする。
【０１４３】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０１４４】
（第５駆動例）
図１５は、実施の形態に係る画像形成装置の第１排気ファン、第２排気ファンおよび第３排気ファンの第５駆動例を示す図である。図１５を参照して、第１排気ファン７１、第２排気ファン７２Ａ，７２Ｂ、および第３排気ファン７３の第５駆動例について説明する。
【０１４５】
第５駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードから画像形成モードに移行する移行モードとなる。時刻ｔ２からは、画像形成モードとなる。
【０１４６】
スリープモードにおいては、制御部は、第１排気ファン７１、第２排気ファン７２Ａ，７２Ｂおよび第３排気ファン７３を停止させる。
【０１４７】
電源ＯＮ状態またはスリープ復帰状態となり、スリープ状態から画像形成モードに移行する移行モードにおいては、制御部は、第１排気ファン７１を高速で回転させ、第２排気ファン７２Ａ，７２Ｂ、および第３排気ファン７３を中速で回転させる。これにより、イニシャルバーストにより大量発生する超微粒子を効果的に補足することができる。
【０１４８】
画像形成モードにおいては、制御部は、第１排気ファン７１を高速で回転させ、第２排気ファン７２Ａ，７２Ｂおよび第３排気ファン７３を中速で回転させる。この際、制御部は、第１排気ダクト６１を流れる気体の流量を、第２排気ダクト６２を流れる気体の流量および第３排気ダクト６３を流れる気体の流量の合計よりも大きくする。
【０１４９】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０１５０】
（第６駆動例）
図１６は、実施の形態に係る画像形成装置の第１排気ファン、第２排気ファンおよび第３排気ファンの第６駆動例を示す図である。図１６を参照して、第１排気ファン７１、第２排気ファン７２Ａ，７２Ｂ、および第３排気ファン７３の第６駆動例について説明する。
【０１５１】
第６駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードからスタンバイモードに移行する移行モードとなる。時刻ｔ２からは時刻ｔ３までは、スタンバイモードとなる。時刻ｔ３からは、画像形成モードとなる。
【０１５２】
スリープモードにおいては、制御部は、第１排気ファン７１、第２排気ファン７２Ａ，７２Ｂおよび第３排気ファン７３を停止させる。
【０１５３】
電源ＯＮ状態またはスリープ復帰状態となり、スリープ状態からスタンバイ状態に移行する移行モードにおいては、制御部は、第１排気ファン７１、第２排気ファン７２Ａ，７２Ｂ、および第３排気ファン７３を高速で回転させる。これにより、イニシャルバーストにより大量発生する超微粒子を効果的に補足することができる。
【０１５４】
スタンバイモードにおいては、制御部は、第１排気ファン７１を低速で回転させ、第２排気ファン７２Ａ，７２Ｂを停止させる。
【０１５５】
画像形成モードの第１期間（たとえば、画像形成モードへの変更後から３分間以内）においては、制御部は、第１排気ファン７１、第２排気ファン７２Ａ，７２Ｂおよび第３排気ファン７３を高速で回転させる。続いて、画像形成モードの第２期間（たとえば、画像形成モードへの変更後から３分経過後以降の期間）においては、制御部は、第１排気ファンを高速で回転させ、第２排気ファン７２Ａ，７２Ｂおよび第３排気ファン７３を中速で回転させる。
【０１５６】
なお、画像形成モードにおいては、制御部は、第１排気ダクト６１を流れる気体の流量を、第２排気ダクト６２を流れる気体の流量および第３排気ダクト６３を流れる気体の流量の合計よりも大きくする。
【０１５７】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０１５８】
（第７駆動例）
図１７は、実施の形態に係る画像形成装置の第１排気ファン、第２排気ファンおよび第３排気ファンの第７駆動例を示す図である。図１７を参照して、第１排気ファン７１、第２排気ファン７２Ａ，７２Ｂ、および第３排気ファン７３の第７駆動例について説明する。
【０１５９】
第７駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードから画像形成モードに移行する移行モードとなる。時刻ｔ２からは、画像形成モードとなる。
【０１６０】
スリープモードにおいては、制御部は、第１排気ファン７１、第２排気ファン７２Ａ，７２Ｂおよび第３排気ファン７３を停止させる。
【０１６１】
電源ＯＮ状態またはスリープ復帰状態となり、スリープ状態から画像形成モードに移行する移行モードにおいては、制御部は、第１排気ファン７１、第２排気ファン７２Ａ，７２Ｂ、および第３排気ファン７３を高速で回転させる。これにより、イニシャルバーストにより大量発生する超微粒子を効果的に補足することができる。
【０１６２】
画像形成モードの第１期間（たとえば、画像形成モードへの変更後から３分間以内）においては、制御部は、第１排気ファン７１、第２排気ファン７２Ａ，７２Ｂおよび第３排気ファン７３を高速で回転させる。すなわち、制御部は、スリープモードから電源を入力した状態、または、スリープモードからスリープ復帰をした状態から移行した画像形成モードにおいて、制御部は、第１排気ファン７１、第２排気ファン７２Ａ，７２Ｂ、および第３排気ファン７３を高速モードで回転させる。
【０１６３】
スリープモードから電源を入力した状態、または、スリープモードからスリープ復帰をした状態から移行した画像形成モードにおいても、初期状態においては、イニシャルバーストが継続するため、上記のように第１排気ファン７１、第２排気ファン７２Ａ，７２Ｂ、および第３排気ファン７３を高速モードで回転させることにより、大量発生する超微粒子を効果的に補足することができる。
【０１６４】
続いて、画像形成モードの第２期間（たとえば、画像形成モードへの変更後から３分経過後以降の期間）においては、制御部は、第１排気ファンを高速で回転させ、第２排気ファン７２Ａ，７２Ｂおよび第３排気ファン７３を中速で回転させる。
【０１６５】
なお、画像形成モードにおいては、制御部は、第１排気ダクト６１を流れる気体の流量を、第２排気ダクト６２を流れる気体の流量および第３排気ダクト６３を流れる気体の流量の合計よりも大きくする。
【０１６６】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０１６７】
（第８駆動例）
図１８は、実施の形態に係る画像形成装置の第１排気ファン、第２排気ファンおよび第３排気ファンの第８駆動例を示す図である。図１８を参照して、第１排気ファン７１、第２排気ファン７２Ａ，７２Ｂ、および第３排気ファン７３の第８駆動例について説明する。
【０１６８】
第８駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードからスタンバイモードに移行する移行モードとなる。時刻ｔ２からは時刻ｔ３までは、スタンバイモードとなる。時刻ｔ４からは、画像形成モードとなる。
【０１６９】
スリープモードにおいては、制御部は、第１排気ファン７１、第２排気ファン７２Ａ，７２Ｂおよび第３排気ファン７３を停止させる。
【０１７０】
電源ＯＮ状態またはスリープ復帰状態となり、スリープ状態からスタンバイ状態に移行する移行モードにおいては、制御部は、第１排気ファン７１、第２排気ファン７２Ａ，７２Ｂ、および第３排気ファン７３を高速で回転させる。これにより、イニシャルバーストにより大量発生する超微粒子を効果的に補足することができる。
【０１７１】
スタンバイモードにおいては、制御部は、第１排気ファン７１を低速で回転させ、第２排気ファン７２Ａ，７２Ｂを停止させる。
【０１７２】
画像形成モードにおいては、制御部は、第１排気ファン７１、第２排気ファン７２Ａ，７２Ｂおよび第３排気ファン７３を高速で回転させる。この際、制御部は、第１排気ダクト６１を流れる気体の流量を、第２排気ダクト６２を流れる気体の流量および第３排気ダクト６３を流れる気体の流量の合計よりも大きくする。
【０１７３】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０１７４】
（第９駆動例）
図１９は、実施の形態に係る画像形成装置の第１排気ファン、第２排気ファンおよび第３排気ファンの第９駆動例を示す図である。図１９を参照して、第１排気ファン７１、第２排気ファン７２Ａ，７２Ｂ、および第３排気ファン７３の第９駆動例について説明する。
【０１７５】
第９駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードから画像形成モードに移行する移行モードとなる。時刻ｔ２からは、画像形成モードとなる。
【０１７６】
スリープモードにおいては、制御部は、第１排気ファン７１、第２排気ファン７２Ａ，７２Ｂおよび第３排気ファン７３を停止させる。
【０１７７】
電源ＯＮ状態またはスリープ復帰状態となり、スリープ状態から画像形成モードに移行する移行モードにおいては、制御部は、第１排気ファン７１、第２排気ファン７２Ａ，７２Ｂ、および第３排気ファン７３を高速で回転させる。これにより、イニシャルバーストにより大量発生する超微粒子を効果的に補足することができる。
【０１７８】
画像形成モードにおいては、制御部は、第１排気ファン７１、第２排気ファン７２Ａ，７２Ｂおよび第３排気ファン７３を高速で回転させる。この際、制御部は、第１排気ダクト６１を流れる気体の流量を、第２排気ダクト６２を流れる気体の流量および第３排気ダクト６３を流れる気体の流量の合計よりも大きくする。
【０１７９】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０１８０】
（第１０駆動例）
図２０は、実施の形態に係る画像形成装置の第１排気ファン、第２排気ファンおよび第３排気ファンの第１０駆動例を示す図である。図２０を参照して、第１排気ファン７１、第２排気ファン７２Ａ，７２Ｂ、および第３排気ファン７３の第１０駆動例について説明する。
【０１８１】
第１０駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードからスタンバイモードに移行する移行モードとなる。時刻ｔ２からは時刻ｔ３までは、スタンバイモードとなる。時刻ｔ３からは、画像形成モードとなる。
【０１８２】
スリープモードにおいては、制御部は、第１排気ファン７１、第２排気ファン７２Ａ，７２Ｂおよび第３排気ファン７３を停止させる。
【０１８３】
電源ＯＮ状態またはスリープ復帰状態となり、スリープ状態からスタンバイ状態に移行する移行モードにおいては、制御部は、第１排気ファン７１、第２排気ファン７２Ａ，７２Ｂ、および第３排気ファン７３を高速で回転させる。
【０１８４】
スタンバイモードにおいては、制御部は、第１排気ファン７１を低速で回転させ、第２排気ファン７２Ａ，７２Ｂを停止させる。
【０１８５】
画像形成モードにおいて、画像ガバレッジが大きい場合には、制御部は、第１排気ファン７１、第２排気ファン７２Ａ，７２Ｂおよび第３排気ファン７３を高速で回転させる。続いて、画像ガバレッジが小さい場合には、制御部は、第１排気ファン７１を高速で回転させ、第２排気ファン７２Ａ，７２Ｂを中速で回転させる。
【０１８６】
画像ガバレッジが大きい場合には、画像ガバレッジが小さい場合よりも超微粒子が多く発生する。このため、画像ガバレッジが大きい場合には、画像ガバレッジが小さい場合と比較して、第２排気ダクト６２を流れる気体の流量および第３排気ダクト６３を流れる気体の流量を増加させることにより、超微粒子を効果的に捕捉することができる。
【０１８７】
なお、画像形成モードにおいては、制御部は、第１排気ダクト６１を流れる気体の流量を、第２排気ダクト６２を流れる気体の流量および第３排気ダクト６３を流れる気体の流量の合計よりも大きくする。
【０１８８】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０１８９】
（第１１駆動例）
図２１は、実施の形態に係る画像形成装置の第１排気ファン、第２排気ファンおよび第３排気ファンの第１１駆動例を示す図である。図２１を参照して、第１排気ファン７１、第２排気ファン７２Ａ，７２Ｂ、および第３排気ファン７３の第１１駆動例について説明する。
【０１９０】
第１１駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードから画像形成モードに移行する移行モードとなる。時刻ｔ２からは、画像形成モードとなる。
【０１９１】
スリープモードにおいては、制御部は、第１排気ファン７１、第２排気ファン７２Ａ，７２Ｂおよび第３排気ファン７３を停止させる。
【０１９２】
電源ＯＮ状態またはスリープ復帰状態となり、スリープ状態から画像形成モードに移行する移行モードにおいては、制御部は、第１排気ファン７１、第２排気ファン７２Ａ，７２Ｂ、および第３排気ファン７３を高速で回転させる。
【０１９３】
画像形成モードにおいて、画像ガバレッジが大きい場合には、制御部は、第１排気ファン７１、第２排気ファン７２Ａ，７２Ｂおよび第３排気ファン７３を高速で回転させる。続いて、画像ガバレッジが小さい場合には、制御部は、第１排気ファンを高速で回転させ、第２排気ファン７２Ａ，７２Ｂおよび第３排気ファン７３を中速で回転させる。
【０１９４】
このように、画像ガバレッジが大きい場合には、画像ガバレッジが小さい場合と比較して、第２排気ダクト６２を流れる気体の流量および第３排気ダクト６３を流れる気体の流量を増加させることにより、超微粒子を効果的に捕捉することができる。
【０１９５】
なお、画像形成モードにおいては、制御部は、第１排気ダクト６１を流れる気体の流量を、第２排気ダクト６２を流れる気体の流量および第３排気ダクト６３を流れる気体の流量の合計よりも大きくする。
【０１９６】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０１９７】
（第１２駆動例）
図２２は、実施の形態に係る画像形成装置の第１排気ファン、第２排気ファンおよび第３排気ファンの第１２駆動例を示す図である。図２２を参照して、第１排気ファン７１、第２排気ファン７２Ａ，７２Ｂ、および第３排気ファン７３の第１２駆動例について説明する。
【０１９８】
第１２駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードからスタンバイモードに移行する移行モードとなる。時刻ｔ２からは時刻ｔ３までは、スタンバイモードとなる。時刻ｔ３からは、画像形成モードとなる。
【０１９９】
スリープモードにおいては、制御部は、第１排気ファン７１、第２排気ファン７２Ａ，７２Ｂおよび第３排気ファン７３を停止させる。
【０２００】
電源ＯＮ状態またはスリープ復帰状態となり、スリープ状態からスタンバイ状態に移行する移行モードにおいては、制御部は、第１排気ファン７１、第２排気ファン７２Ａ，７２Ｂ、および第３排気ファン７３を高速で回転させる。
【０２０１】
スタンバイモードにおいては、制御部は、第１排気ファン７１を低速で回転させ、第２排気ファン７２Ａ，７２Ｂを停止させる。
【０２０２】
画像形成モードにおいて、記録媒体の縦方向（長手方向）が搬送方向と平行となるように記録媒体が搬送される場合には、制御部は、第１排気ファン７１、第２排気ファン７２Ａ，７２Ｂおよび第３排気ファン７３を高速で回転させる。続いて、記録媒体の横方向（短手方向）が搬送方向と平行となるように記録媒体が搬送される場合には、制御部は、画像ガバレッジが小さい場合には、制御部は、第１排気ファン７１を高速で回転させ、第２排気ファン７２Ａ，７２Ｂを中速で回転させる。
【０２０３】
記録媒体の幅方向の大きさが小さい場合には、記録媒体の外側に位置する定着部材の温度が高くなるため、記録媒体の幅方向の大きさが大きい場合よりも超微粒子が多く発生する。記録媒体の幅方向の大きさが小さい場合に、記録媒体の幅方向の大きさが大きい場合と比較して、第２排気ダクト６２を流れる気体の流量および第３排気ダクト６３を流れる気体の流量を増加させることにより、超微粒子を効果的に捕捉することができる。
【０２０４】
なお、画像形成モードにおいては、制御部は、第１排気ダクト６１を流れる気体の流量を、第２排気ダクト６２を流れる気体の流量および第３排気ダクト６３を流れる気体の流量の合計よりも大きくする。
【０２０５】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０２０６】
（第１３駆動例）
図２３は、実施の形態に係る画像形成装置の第１排気ファン、第２排気ファンおよび第３排気ファンの第１３駆動例を示す図である。図２３を参照して、第１排気ファン７１、第２排気ファン７２Ａ，７２Ｂ、および第３排気ファン７３の第１３駆動例について説明する。
【０２０７】
第１３駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードから画像形成モードに移行する移行モードとなる。時刻ｔ２からは、画像形成モードとなる。
【０２０８】
スリープモードにおいては、制御部は、第１排気ファン７１、第２排気ファン７２Ａ，７２Ｂおよび第３排気ファン７３を停止させる。
【０２０９】
電源ＯＮ状態またはスリープ復帰状態となり、スリープ状態から画像形成モードに移行する移行モードにおいては、制御部は、第１排気ファン７１、第２排気ファン７２Ａ，７２Ｂ、および第３排気ファン７３を高速で回転させる。
【０２１０】
画像形成モードにおいて、記録媒体の縦方向（長手方向）が搬送方向と平行となるように記録媒体が搬送される場合には、制御部は、第１排気ファン７１、第２排気ファン７２Ａ，７２Ｂおよび第３排気ファン７３を高速で回転させる。続いて、記録媒体の横方向（短手方向）が搬送方向と平行となるように記録媒体が搬送される場合には、制御部は、第１排気ファンを高速で回転させ、第２排気ファン７２Ａ，７２Ｂおよび第３排気ファン７３を中速で回転させる。
【０２１１】
このように、録媒体の大きさ（幅）が小さい場合に、記録媒体の大きさが大きい場合と比較して、第２排気ダクト６２を流れる気体の流量および第３排気ダクト６３を流れる気体の流量を増加させることにより、超微粒子を効果的に捕捉することができる。
【０２１２】
なお、画像形成モードにおいては、制御部は、第１排気ダクト６１を流れる気体の流量を、第２排気ダクト６２を流れる気体の流量および第３排気ダクト６３を流れる気体の流量の合計よりも大きくする。
【０２１３】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０２１４】
（第１４駆動例）
図２４は、実施の形態に係る画像形成装置の第１排気ファン、第２排気ファンおよび第３排気ファンの第１４駆動例を示す図である。図２４を参照して、第１排気ファン７１、第２排気ファン７２Ａ，７２Ｂ、および第３排気ファン７３の第１４駆動例について説明する。
【０２１５】
第１４駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードからスタンバイモードに移行する移行モードとなる。時刻ｔ２からは時刻ｔ３までは、スタンバイモードとなる。時刻ｔ４からは、画像形成モードとなる。
【０２１６】
スリープモードにおいては、制御部は、第１排気ファン７１、第２排気ファン７２Ａ，７２Ｂおよび第３排気ファン７３を停止させる。
【０２１７】
電源ＯＮ状態またはスリープ復帰状態となり、スリープ状態からスタンバイ状態に移行する移行モードにおいては、制御部は、第１排気ファン７１、第２排気ファン７２Ａ，７２Ｂ、および第３排気ファン７３を高速で回転させる。
【０２１８】
スタンバイモードにおいては、制御部は、第１排気ファン７１を低速で回転させ、第２排気ファン７２Ａ，７２Ｂを停止させる。
【０２１９】
画像形成モードにおいて、定着装置の定着温度を検出する温度検出装置の検出結果に基づいて、制御部は、定着温度が高いと判断した場合には、第１排気ファン７１、第２排気ファン７２Ａ，７２Ｂおよび第３排気ファン７３を高速で回転させる。一方、温度検出装置の検出結果に基づいて、制御部は、定着温度が低いと判断した場合には、第１排気ファン７１を高速で回転させ、第２排気ファン７２Ａ，７２Ｂを中速で回転させる。
【０２２０】
定着温度が高い場合には、定着温度が低い場合よりも超微粒子が多く発生する。制御部が、温度検出装置の検出結果によって、定着温度が高いと判断した場合には、定着温度が低いと判断した場合と比較して、第２排気ダクト６２を流れる気体の流量および第３排気ダクト６３を流れる気体の流量を増加させることにより、超微粒子を効果的に捕捉することができる。
【０２２１】
なお、画像形成モードにおいては、制御部は、第１排気ダクト６１を流れる気体の流量を、第２排気ダクト６２を流れる気体の流量および第３排気ダクト６３を流れる気体の流量の合計よりも大きくする。
【０２２２】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０２２３】
（第１５駆動例）
図２５は、実施の形態に係る画像形成装置の第１排気ファン、第２排気ファンおよび第３排気ファンの第１５駆動例を示す図である。図２５を参照して、第１排気ファン７１、第２排気ファン７２Ａ，７２Ｂ、および第３排気ファン７３の第１５駆動例について説明する。
【０２２４】
第１５駆動例においては、時刻ｔ０において、スリープモードとなっている。当該スリープモードは、時刻ｔ１まで維持される。時刻ｔ１に、電源ＯＮ状態またはスリープ復帰状態となり、時刻ｔ２までスリープモードから画像形成モードに移行する移行モードとなる。時刻ｔ２からは、画像形成モードとなる。
【０２２５】
スリープモードにおいては、制御部は、第１排気ファン７１、第２排気ファン７２Ａ，７２Ｂおよび第３排気ファン７３を停止させる。
【０２２６】
電源ＯＮ状態またはスリープ復帰状態となり、スリープ状態から画像形成モードに移行する移行モードにおいては、制御部は、第１排気ファン７１、第２排気ファン７２Ａ，７２Ｂ、および第３排気ファン７３を高速で回転させる。
【０２２７】
画像形成モードにおいて、定着装置の定着温度を検出する温度検出装置の検出結果に基づいて、制御部は、定着温度が高いと判断した場合には、第１排気ファン７１、第２排気ファン７２Ａ，７２Ｂおよび第３排気ファン７３を高速で回転させる。一方、温度検出装置の検出結果に基づいて、制御部は、定着温度が低いと判断した場合には、第１排気ファン７１を高速で回転させ、第２排気ファン７２Ａ，７２Ｂを中速で回転させる。
【０２２８】
この場合においても、制御部は、温度検出装置の検出結果によって、定着温度が高いと判断した場合には、定着温度が低いと判断した場合と比較して、第２排気ダクト６２を流れる気体の流量および第３排気ダクト６３を流れる前記気体の流量を増加させる。これにより、超微粒子を効果的に捕捉することができる。
【０２２９】
なお、画像形成モードにおいては、制御部は、第１排気ダクト６１を流れる気体の流量を、第２排気ダクト６２を流れる気体の流量および第３排気ダクト６３を流れる気体の流量の合計よりも大きくする。
【０２３０】
これにより、小さい流量で定着ローラーの両端側の気体を排気しつつ、第１排気ダクト６１からも上記内部空間の空気を排気することにより、全体として、定着装置によって発生する超微粒子を効率よく捕捉することができる。
【０２３１】
以上、今回発明された実施の形態はすべての点で例示であって制限的なものではない。本発明の範囲は特許請求の範囲によって示され、特許請求の範囲と均等の意味および範囲内でのすべての変更が含まれる。
【符号の説明】
【０２３２】
１Ｃ，１Ｋ，１Ｍ，１Ｙ  画像形成ユニット、１０  感光体、１１  帯電装置、１２  露光装置、１３  現像装置、１４  現像ローラー、１５Ｃ，１５Ｋ，１５Ｍ，１５Ｙ  トナーボトル、１７  クリーニング装置、３０  中間転写ベルト、３１  一次転写ローラー、３３  二次転写ローラー、３７  カセット、３８  従動ローラー、３９  駆動ローラー、４０  タイミングローラー、４１  搬送経路、４８  トレイ、５０  定着エリア、５１  カバー部材、５２  定着装置、５３  加圧ローラー、５５  定着装置駆動部、６１  第１排気ダクト、６２  第２排気ダクト、６３  第３排気ダクト、７１，７１Ａ，７１Ｂ  第１排気ファン、７２，７２Ａ，７２Ｂ  第２排気ファン、７３  第３排気ファン、８１  第１フィルター、８２  第２フィルター、８３  第３フィルター、９０  筐体、１００，１００Ｂ，１００Ｘ  画像形成装置、１０１  制御装置、２０１  エンジン部、２０２  制御部、２０３  プリントヘッド、２０４  各種負荷、２０５  本体付属不揮発性メモリ、２０６  ユニット付属不揮発性メモリ、２０７  コントローラ部、２０８  検知部、２０９  温度検出装置、３００，３００Ｘ  排出機構、６１１  第１吸気口、６１２  第１排気口、６２１  第２吸気口、６２２  第２排気口、６３１  第３吸気口、６３２  第３排気口。
【図１】
2018112676.tif 000003
【図２】
2018112676.tif 000004
【図３】
2018112676.tif 000005
【図４】
2018112676.tif 000006
【図５】
2018112676.tif 000007
【図６】
2018112676.tif 000008
【図７】
2018112676.tif 000009
【図８】
2018112676.tif 000010
【図９】
2018112676.tif 000011
【図１０】
2018112676.tif 000012
【図１１】
2018112676.tif 000013
【図１２】
2018112676.tif 000014
【図１３】
2018112676.tif 000015
【図１４】
2018112676.tif 000016
【図１５】
2018112676.tif 000017
【図１６】
2018112676.tif 000018
【図１７】
2018112676.tif 000019
【図１８】
2018112676.tif 000020
【図１９】
2018112676.tif 000021
【図２０】
2018112676.tif 000022
【図２１】
2018112676.tif 000023
【図２２】
2018112676.tif 000024
【図２３】
2018112676.tif 000025
【図２４】
2018112676.tif 000026
【図２５】
2018112676.tif 000027